(57)【要約】      （修正有）【課題】金属導体カバーの開口部を拡張することなく、開口部に対応する位置に配置されてアンテナ通信を可能にするカメラモジュール及びそれを含む電子装置を提供する。【解決手段】カメラモジュール４は、レンズＬが配置されるレンズハウジング６と、透明な材質からなり、レンズハウジングを覆うように形成されるウィンドウガラス４２と、レンズの外側とウィンドウガラスの内側との間に形成されるコイル導体部５２から構成される。【選択図】図６
2015043567.tif 000002
【特許請求の範囲】
【請求項１】
レンズが配置されるレンズハウジングと、
透明な材質からなり、前記レンズハウジングを覆うように形成されるウィンドウガラスと、
前記レンズの外側と前記ウィンドウガラスの内側との間に形成されるコイル導体部と、を含むカメラモジュール。
【請求項２】
前記ウィンドウガラスには、前記コイル導体部が外部に露出されることを防止するための遮蔽コーティング層が形成される、請求項１に記載のカメラモジュール。
【請求項３】
前記コイル導体部は、基板上に形成され、前記基板の導体非形成部を基準として外側に巻回され、
前記導体非形成部には、前記レンズが露出されるようにする貫通孔が形成される、請求項１または２に記載のカメラモジュール。
【請求項４】
前記コイル導体部は、前記ウィンドウガラス内にインモールド射出されて埋め込まれる、請求項１から３の何れか１項に記載のカメラモジュール。
【請求項５】
前記レンズハウジングの縁部には、前記コイル導体部が載置されるための載置溝が形成される、請求項１から４の何れか１項に記載のカメラモジュール。
【請求項６】
前記コイル導体部は、前記載置溝により形成された突出部が貫通する貫通孔が形成された基板に形成される、請求項５に記載のカメラモジュール。
【請求項７】
前記レンズハウジングは磁性材料を含有する、請求項１から６の何れか１項に記載のカメラモジュール。
【請求項８】
前記コイル導体部は、前記ウィンドウガラスの上部面に形成される、請求項１から７の何れか１項に記載のカメラモジュール。
【請求項９】
前記レンズハウジングは、光軸方向に垂直な方向に突出された肩部を含み、
前記コイル導体部は、前記肩部の上部面または下部面に形成される、請求項１から８の何れか１項に記載のカメラモジュール。
【請求項１０】
前記コイル導体部は、前記レンズハウジングの光軸方向に巻回されて形成される、請求項１から９の何れか１項に記載のカメラモジュール。
【請求項１１】
前記コイル導体部が巻回される前記レンズハウジングは、磁性材料を含有する、請求項１０に記載のカメラモジュール。
【請求項１２】
前記レンズハウジングは、光源部が一体に形成された光源一体型モジュールを含む、請求項１から１１の何れか１項に記載のカメラモジュール。
【請求項１３】
前記コイル導体部は、前記光源一体型モジュールに付着される、請求項１２に記載のカメラモジュール。
【請求項１４】
前記コイル導体部は、前記光源一体型モジュールに光軸方向に巻回される、請求項１２に記載のカメラモジュール。
【請求項１５】
レンズを含むレンズハウジングと、
前記レンズハウジングと結合され、前記レンズが光に露出されるようにする貫通孔が形成されたカメラモジュールケースと、
前記カメラモジュールケースの上面において前記貫通孔を基準として外側に形成され、信号を送信または受信するコイル導体部と、を含むカメラモジュール。
【請求項１６】
前記コイル導体部は前記貫通孔に対応する基板孔が形成されたフレキシブル基板の一面において前記基板孔を基準として外側に形成され、
前記フレキシブル基板の一面の反対面に形成された磁性体シートをさらに含む、請求項１５に記載のカメラモジュール。
【請求項１７】
前記レンズハウジングは、光源部が一体に形成された光源一体型モジュールを含む、請求項１５または１６に記載のカメラモジュール。
【請求項１８】
開口部が形成されたフレームと、
平面視において前記開口部内に配置され、信号を送信または受信するコイル導体部を有するカメラモジュールと、を含み、
前記開口部の空間が前記フレームの内部空間と連続することを遮断するように、前記開口部に前記カメラモジュールが結合される、電子装置。
【請求項１９】
前記コイル導体部は、前記開口部の外部に露出される、請求項１８に記載の電子装置。
【請求項２０】
前記フレームは金属材料を含有する、請求項１８または１９に記載の電子装置。
【請求項２１】
前記カメラモジュールは、光源部が一体に形成された光源一体型モジュールを含む、請求項１８から２０の何れか１項に記載の電子装置。
【発明の詳細な説明】
【技術分野】
【０００１】
本発明は、カメラモジュール及びそれを含む電子装置に関する。
【背景技術】
【０００２】
近年、スマートフォンなどの携帯電話をはじめタブレットＰＣ、ノート型パソコンなどの電子装置には、近距離無線通信（ｎｅａｒ  ｆｉｅｌｄ  ｃｏｍｍｕｎｉｃａｔｉｏｎ；ＮＦＣ）システムなどのＲＦＩＤ（Ｒａｄｉｏ  ｆｒｅｑｕｅｎｃｙ  ｉｄｅｎｔｉｆｉｃａｔｉｏｎ）システムが用いられている。
【０００３】
上記ＲＦＩＤシステムは、信号の送信または受信のためのアンテナシステムの一例であり、上記アンテナシステムはコイル導体を備えたモジュールで具現される。
【０００４】
上記アンテナシステムを金属ケースに適用すると、金属面を通過する磁束が金属内部で渦電流（Ｅｄｄｙ  ｃｕｒｒｅｎｔ）を誘導して、レンツの法則（ｌｅｎｚ'ｓ  ｌａｗ）による磁場の反発フィールドが発生する。上記反発フィールドにより、通信のためのアンテナシステムの認識距離が減少される。
【０００５】
下記の特許文献１は、導体層が、開口部、及び上記開口部と上記導体層の縁との間に形成されたスリット部を含み、コイル導体に電流が流れたとき、上記開口部の周囲に電流が流れ、この電流が上記スリット部の縁を介して上記導体層の縁まで循環するようにする。
【０００６】
特許文献１は、導体層にスリット部が形成されるため、導体層のデザイン自由度が劣り、塵などの汚染物質の流入を防止するためにスリットを遮蔽する別の射出構造体が必要であるという問題点がある。
【先行技術文献】
【特許文献】
【０００７】
【特許文献１】日本特許公報第４６８７８３２号
【発明の概要】
【発明が解決しようとする課題】
【０００８】
本発明の目的は、金属導体カバーの開口部を拡張することなく、開口部に対応する位置に配置されてアンテナ通信を可能にするカメラモジュール及びそれを含む電子装置を提供することにある。
【課題を解決するための手段】
【０００９】
本発明の一実施例によるカメラモジュールは、レンズが配置されるレンズハウジングと、透明な材質からなり、上記レンズハウジングを覆うように形成されるウィンドウガラスと、上記レンズの外側と上記ウィンドウガラスの内側との間に形成されるコイル導体部と、を含むことができる。
【００１０】
上記ウィンドウガラスには、上記コイル導体部が外部に露出されることを防止するための遮蔽コーティング層が形成されることができる。
【００１１】
上記コイル導体部は、基板上に形成され、上記基板の導体非形成部を基準として外側に巻回されており、上記導体非形成部には、上記レンズが露出されるようにする貫通孔が形成されることができる。
【００１２】
上記コイル導体部は、上記ウィンドウガラス内にインモールド射出されて埋め込まれることができる。
【００１３】
上記レンズハウジングの縁部には、上記コイル導体部が載置されるための載置溝が形成されることができる。
【００１４】
上記コイル導体部は、上記載置溝により形成された突出部が貫通する貫通孔が形成された基板に形成されることができる。
【００１５】
上記レンズハウジングは、磁性材料を含有することができる。
【００１６】
上記コイル導体部は、上記ウィンドウガラスの上部面に形成されることができる。
【００１７】
上記レンズハウジングは、光軸方向に垂直な方向に突出された肩部を含み、上記コイル導体部は、上記肩部の上部面または下部面に形成されることができる。
【００１８】
上記コイル導体部は、上記レンズハウジングの光軸方向に巻回されて形成されることができる。
【００１９】
上記コイル導体部が巻回される上記レンズハウジングは、磁性材料を含有することができる。
【００２０】
上記レンズハウジングは、光源部が一体に形成された光源一体型モジュールを含むことができる。
【００２１】
上記コイル導体部は、上記光源一体型モジュールに付着されることができる。
【００２２】
上記コイル導体部は、上記光源一体型モジュールに光軸方向に巻回されることができる。
【００２３】
他の側面によると、本発明の一実施例によるカメラモジュールは、レンズを含むレンズハウジングと、上記レンズハウジングと結合され、上記レンズが光に露出されるようにする貫通孔が形成されたカメラモジュールケースと、上記カメラモジュールケースの上面において上記貫通孔を基準として外側に形成され、信号を送信または受信するコイル導体部と、を含むことができる。
【００２４】
上記コイル導体部は上記貫通孔に対応する基板孔が形成されたフレキシブル基板の一面において上記基板孔を基準として外側に形成され、上記フレキシブル基板の一面の反対面に形成された磁性体シートをさらに含むことができる。
【００２５】
上記レンズハウジングは、光源部が一体に形成された光源一体型モジュールを含むことができる。
【００２６】
さらに他の側面によると、本発明の他の実施例による電子装置は、開口部が形成されたフレームと、平面視において上記開口部内に配置され、信号を送信または受信するコイル導体部を有するカメラモジュールと、を含み、上記開口部の空間が上記フレームの内部空間と連続することを遮断するように、上記開口部に上記カメラモジュールが結合されることができる。
【００２７】
上記コイル導体部は、上記開口部の外部に露出されることができる。
【００２８】
上記フレームは金属材料を含有することができる。
【００２９】
上記カメラモジュールは、光源部が一体に形成された光源一体型モジュールを含むことができる。
【発明の効果】
【００３０】
本発明の一実施例によるカメラモジュール及びそれを含む電子装置によると、金属ケースからスリットなどの不要な開口部を取り除くことができるため、外装ケースのデザイン自由度が向上される。
【００３１】
また、開口部の内側にコイル導体部を備えることでコイル導体部の半径が減少しても無線通信が可能となる。
【００３２】
また、カメラモジュールのハウジングを磁性材料で形成することで、近距離通信性能も向上されることができる。
【図面の簡単な説明】
【００３３】
【図１】本発明の一実施例による電子装置を概略的に図示した分解斜視図である。
【図２】本発明の一実施例によるアンテナモジュールが設けられた電子装置の概略分解斜視図である。
【図３】本発明の一実施例によるアンテナモジュールの概略斜視図である。
【図４】図３のＡ‐Ａ´線の断面図である。
【図５】本発明の第１実施例によるカメラモジュールの概略斜視図である。
【図６】図５の概略分解斜視図である。
【図７】第１実施例の第１変形例の概略拡大図である。
【図８】第１実施例の第２変形例の概略拡大図である。
【図９】第１実施例の第３変形例の概略拡大図である。
【図１０】本発明の第２実施例によるカメラモジュールの概略斜視図である。
【図１１】本発明の第３実施例によるカメラモジュールの概略斜視図である。
【図１２】本発明の第４実施例による光源一体型カメラモジュールの概略斜視図である。
【図１３】本発明の第４実施例による光源一体型カメラモジュールに適用されたコイル導体部の概略斜視図である。
【図１４】本発明の第５実施例によるカメラモジュールが適用された電子装置の概略斜視図である。
【図１５】本発明の第５実施例によるカメラモジュールの概略斜視図である。
【図１６】図１４のＢ‐Ｂ´線の断面図である。
【発明を実施するための形態】
【００３４】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００３５】
［電子装置］
図１は本発明の一実施例による電子装置を概略的に図示した分解斜視図である。
【００３６】
図１を参照すると、本発明の一実施例による電子装置１は、フレーム２と、アンテナモジュール５と、電子部品モジュール４と、を含むことができる。
【００３７】
上記フレーム２は、電子装置１の外観をなすケースであり、本実施例によるフレーム２は、金属材質からなる外部フレーム２２を含むことができる。上記外部フレーム２２は、導体を外部にコーティングするか、または金属を用いて形成することができる。
【００３８】
上記フレーム２は、カバーとして形成された上記外部フレーム２２とともに、内部フレーム２４をさらに含むことができる。
【００３９】
上記内部フレーム２４には、電池２４５、カメラモジュール４、光源部２４２、及びマイクモジュール２４６などの電子部品モジュールが実装されることができ、上記電子部品モジュールを保護するための外部フレーム２２が連結されることができる。ここで、カメラモジュール４、光源部２４２、及びマイクモジュール２４６は、上記外部フレーム２２の外部に露出されていなければならない。そのため、上記外部フレーム２２には、それぞれの開口部２２２、２２４、２２６が形成されることができる。
【００４０】
上記アンテナモジュール５に電流が流れる場合、金属からなる外部フレーム２２で渦電流（Ｅｄｄｙ  Ｃｕｒｒｅｎｔ）が発生して、本実施例の電子装置１と通信しようとする他の無線電子機器や近距離通信装置などとの通信性能が低下する恐れがある。
【００４１】
この際、外部フレーム２２の開口部２２２に対応する位置に上記アンテナモジュール５を配置することで、金属ケースによる通信性能の低下を低減することができる。
【００４２】
図１の実施例にはアンテナモジュール５が形成される電子部品モジュールとしてカメラモジュール４が示されているが、これに制限されず。別のアンテナモジュール５を上記内部フレーム２４に形成させてもよい。
【００４３】
また、アンテナモジュール５は、上記カメラモジュール４、光源部２４２、またはマイクモジュール２４６に形成されてもよく、上記カメラモジュール４と光源部２４２との結合部品に形成されてもよい。
【００４４】
本実施例による電子装置１は、以下で説明する電子部品モジュールを全て含んで形成されることができる。
【００４５】
［アンテナモジュール］
図２は本発明の一実施例によるアンテナモジュールが設けられた電子装置の概略分解斜視図であり、図３は本発明の一実施例によるアンテナモジュールの概略斜視図であり、図４は図３のＡ‐Ａ´線の断面図である。
【００４６】
図２から図４を参照すると、本実施例による電子部品モジュールは、アンテナ導体をモジュール化して用いるアンテナモジュール５である。
【００４７】
上記アンテナモジュール５も、電子装置１の外部フレーム２２に形成された別の開口部２２５に対応する位置に配置されることができる。
【００４８】
上記アンテナモジュール５は、コイル導体部５２と、上記コイル導体部５２が形成されたフレキシブル基板５４と、を含み、上記コイル導体部５２が形成されたフレキシブル基板５４は、モジュールシート５６に形成されることができる。
【００４９】
上記コイル導体部５２は、上記フレキシブル基板５４の導体非形成部５５を基準として外側に巻回されることができる。
【００５０】
上記のようなアンテナモジュール５は、当業者の選択に応じて、内部フレーム２４に配置されることができる。また、平面視において、上記コイル導体部５２は、金属材質の外部フレーム２２の開口部２２５内に配置されることができる。
【００５１】
本実施例のコイル導体部５２はめっき、エッチング、印刷などの方法でフレキシブル基板５４に形成されるが、銅、ニッケル、鉄などの導線（ｃｏｎｄｕｃｔｉｖｅ  ｗｉｒｅ）を上記モジュールシート５６上に形成してもよい。
【００５２】
また、上記コイル導体部５２が形成されたフレキシブル基板５４を樹脂材や磁性材料などを用いてインモールド（ｉｎ‐ｍｏｌｄ）成形することで一つのモジュールにしてもよい。
【００５３】
一方、上記アンテナモジュール５を近距離通信のためのＮＦＣアンテナモジュールとして用いるために上記モジュールシート５６が磁性体シートであれば良い。
【００５４】
上記磁性体シートは、Ｎｉ‐Ｚｎ‐Ｃｕ系フェライト、Ｍｎ‐Ｚｎ系フェライト、及びＮｉ、Ｆｅ、Ｃｏ系非晶質金属の少なくとも一つを含有することができる。
【００５５】
また、上記磁性体シートには、塩素化ポリエチレン（ＣＰＥ；Ｃｈｌｏｒｉｎａｔｅｄ  ＰｏｌｙＥｔｈｙｌｅｎｅ）、ポリプロピレン（ＰＰ；ＰｏｌｙＰｒｏｐｙｌｅｎｅ）、エチレンプロピレンゴム（ＥＰＤＭ；Ｅｔｈｙｌｅｎｅ  Ｐｒｏｐｙｌｅｎｅ  ｒｕｂｂｅｒ）、天然ゴム（ＮＲ；Ｎａｔｕｒａｌ  Ｒｕｂｂｅｒ）、ニトリルブタジエンゴム（ＮＢＲ；Ｎｉｔｒｉｌｅ  Ｂｕｔａｄｉｅｎｅ  Ｒｕｂｂｅｒ）、ポリ塩化ビニル（ＰＶＣ；Ｐｏｌｙｖｉｎｙｌ  Ｃｈｌｏｒｉｄｅ）、ポリイミド（Ｐｏｌｙｉｍｉｄｅ）系樹脂、及びポリエステル（ｐｏｌｙｅｓｔｅｒ）系樹脂の少なくとも一つの成分の樹脂が含有されることができる。また、ポリエチレン（ＰＥ；Ｐｏｌｙｅｔｈｙｌｅｎｅ）、ポリスチレン（ＰＳ；Ｐｏｌｙｓｔｙｒｅｎｅ）、ポリエチレンテレフタレート（ＰＥＴ；Ｐｏｌｙｅｔｈｙｌｅｎｅ  ｔｅｒｅｐｈｔｈａｌａｔｅ）、ポリアミド（ＰＡ；Ｐｏｌｙａｍｉｄｅ）、ポリウレタン（ＰＵ：Ｐｏｌｙｕｒｅｔｈａｎｅｓ）、ポリカーボネート（ＰＣ：Ｐｏｌｙｃａｒｂｏｎａｔｅ）、ポリ塩化ビニリデン（ＰＶＤＣ：Ｐｏｌｙｖｉｎｙｌｉｄｅｎｅ  ｃｈｌｏｒｉｄｅ）、エポキシ、及びＡＢＳ系樹脂の少なくとも一つも、上記磁性体シートに含有されることができる。
【００５６】
［カメラモジュール］
図５は本発明の第１実施例によるカメラモジュールの概略斜視図であり、図６は図５の概略分解斜視図である。
【００５７】
図５及び図６を参照すると、本発明の第１実施例によるカメラモジュール４は、レンズハウジング６と、ウィンドウガラス４２と、コイル導体部５２と、を含むことができる。
【００５８】
上記レンズハウジング６は、レンズＬを光軸方向に配列するようにする外装部であり、レンズＬが固定されるレンズ鏡筒６４と、上記レンズ鏡筒６４が収容される上部及び下部ハウジング６２、６６と、イメージセンサー７０が実装される基板６８と、を含むことができる。
【００５９】
本実施例によると、レンズハウジングを覆うように形成されたウィンドウガラス４２が備えられることができる。
【００６０】
上記ウィンドウガラス４２は、上記上部ハウジング６２に形成された貫通孔から上記レンズＬを保護するために、上記上部ハウジング６２を覆うように形成されることができる。
【００６１】
上記上部ハウジング６２には、上記ウィンドウガラス４２が安定して載置されるための載置溝６２２が形成されることができる。
【００６２】
また、上記ウィンドウガラス４２の安定的な固定のために、保護カバー部４５が上記上部ハウジング６２に結合されることができる。
【００６３】
上記保護カバー部４５は、上記上部ハウジング６２の外部面が内接して外部の異物が上記レンズハウジング６内に流入されることを防止することができる。上記保護カバー部４５は、必要に応じて、取り除いてもよい。
【００６４】
上記コイル導体部５２は、フレキシブル基板５４に形成されることができ、上述のアンテナモジュール５に用いられることができる。上記フレキシブル基板５４の下部には、磁性材質のモジュールシート５６が形成されてもよい。上記磁性材質のモジュールシート５６を用いない場合には、上記上部ハウジング６２を磁性材質の射出体として用いることができる。
【００６５】
ここで、磁性材質及びアンテナモジュール５についての説明は、上記で説明した内容に代替する。但し、本実施例のアンテナモジュール５の導体非形成部には、レンズＬを露出させるために貫通孔５７が形成されることができる。
【００６６】
平面視において、上記コイル導体部５２は、上記レンズＬの外側と上記ウィンドウガラス４２の内側との間に形成され、信号を送信または受信することができる。
【００６７】
上記ウィンドウガラス４２には、上記コイル導体部５２が外部に露出されることを防止するための黒色の遮蔽コーティング層４２５が形成されることができる。上記レンズＬを露出させるために、上記遮蔽コーティング層４２５の中心は黒色でコーティングされていない。
【００６８】
図７は第１実施例の第１変形例の概略拡大図であり、図８は第１実施例の第２変形例の概略拡大図であり、図９は第１実施例の第３変形例の概略拡大図である。
【００６９】
図７を参照すると、上記コイル導体部５２を含むアンテナモジュール５が、上記ウィンドウガラス４２の上部に形成されることができる。この場合、コイル導体部５２が露出されることを防止するために、遮蔽コーティング層４２５は上記アンテナモジュール５の上部に形成されることができる。
【００７０】
図８を参照すると、上記コイル導体部５２は、上記ウィンドウガラス４２内にインモールド射出されて埋め込まれることができる。上記コイル導体部５２は、上記ウィンドウガラス４２と一体に形成され、上記ウィンドウガラス４２内に埋め込まれるかまたは表面に形成されることができる。
【００７１】
図９を参照すると、上記上部ハウジング６２の縁部には、上記コイル導体部５２が載置されるための載置溝６２４が形成され、上記コイル導体部５２は、上記載置溝６２４により形成された突出部６２６が貫通する貫通孔５７が形成された基板５４に形成されることができる。
【００７２】
この際、上記ウィンドウガラス４２の載置のために、上記突出部６２６の高さとアンテナモジュール５の高さを実質的に同一にすることができる。
【００７３】
ここで、上記上部ハウジング６２は、磁性材料を用いて射出された射出体であり、コイル導体部５２は、金属導線で上記上部ハウジング６２を巻回することで形成されることができる。
【００７４】
上記遮蔽コーティング層４２５は、外部との接触によって剥離されることを防止するために、ウィンドウガラス４２の下側に配置されることができる。
【００７５】
図１０は本発明の第２実施例によるカメラモジュールの概略斜視図であり、図１１は本発明の第３実施例によるカメラモジュールの概略斜視図である。
【００７６】
図１０を参照すると、本発明の上部ハウジング６２には、光軸方向に垂直な方向に肩部６５が突出形成されることができる。上記肩部６５の上部面または下部面に上記コイル導体部５２が形成されることができる。上記コイル導体部５２は、相対的に長い長さの導体パターンを有することができるため、広帯域信号を受信するアンテナとして機能することもできる。
【００７７】
図１１を参照すると、上記コイル導体部５２は、上記レンズハウジング６の光軸方向に巻回されて形成されている。上記コイル導体部５２は、フレキシブル基板５４上に形成された導体パターンの構造を有し、図１１のように、導線が上記レンズハウジング６に光軸方向に巻回されて形成されることができる。
【００７８】
上記コイル導体部５２が巻回される上記レンズハウジング６は、磁性材料を含有するため、近距離通信に適したＮＦＣモジュールを実現することもできる。
【００７９】
図１２は本発明の第４実施例による光源一体型モジュールの概略斜視図であり、図１３は本発明の第４実施例による光源一体型モジュールに適用されたコイル導体部の概略斜視図である。
【００８０】
図１２の実施例を参照すると、レンズハウジングは、金属材質のフレーム２の開口部２２２に光源一体型モジュール８０を含むことができる。上記光源一体型モジュール８０は、カメラモジュール４と光源部２４２とが一つの部品として構成されたものである。本実施例では、カメラモジュール４と上記光源部２４２とが組み立てられて一体化されているが、組み立てられずに一体化されていてもよい。
【００８１】
上記光源一体型モジュール８０も、図１０の実施例のように、磁性体シート５６及びフレキシブル基板５４を含むアンテナモジュール５が上記光源一体型モジュール８０に付着されて形成されることができる。
【００８２】
また、図１１の実施例のように、コイル導体部が上記光源一体型モジュール８０のモジュールケース６３に光軸方向に巻回されて形成されることができる。ここで、上記光源一体型モジュール８０のモジュールケース６３は磁性材料を含有するため、近距離通信に適したＮＦＣモジュールを実現することができる。
【００８３】
図１４は本発明の第５実施例によるカメラモジュールが適用された電子装置の概略斜視図であり、図１５は本発明の第５実施例によるカメラモジュールの概略斜視図であり、図１６は図１４のＢ‐Ｂ´線の断面図である。
【００８４】
図１４の実施例は、レンズハウジング６と結合し、上記レンズが光に露出されるようにする貫通孔６２５が形成されたモジュールケース６３を含むことができる。ここで、上記モジュールケース６３は、電磁波を遮蔽するためのシールドカンであることができる。
【００８５】
上記モジュールケース６３の上面には、上記貫通孔６２５を基準として外側に形成されて信号を送信または受信するコイル導体部５２を含むアンテナモジュール５が設けられることができる。
【００８６】
上記コイル導体部５２は、上記貫通孔６２５に対応する基板孔５７が形成されたフレキシブル基板５４の一面において上記基板孔５７を基準として外側に形成されることができる。また、上記フレキシブル基板５４の反対面には、磁性体シート５６がさらに形成されることができる。
【００８７】
図１４から図１６を参照して、本実施例が適用された電子装置をさらに説明する。
【００８８】
金属材料からなる外部フレーム２２の開口部２２２にカメラモジュール４が接することで開口部２２２が密閉されることができる。すなわち、カメラモジュール４は、上記開口部２２２により形成された空間が上記外部フレーム２２の内部空間Ｓと連続することを遮断するように形成されることができる。
【００８９】
また、上記コイル導体部５２が上記開口部２２２より先に他の通信機構と接するように、上記開口部２２２の外部に露出されることができる。この電子装置の構造は、本実施例だけでなく、他のカメラモジュールや電子部品モジュールにも全て適用されることができる。
【００９０】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【００９１】
１  電子装置
２  フレーム
４  カメラモジュール
５  アンテナモジュール
５２  コイル導体部
５４  フレキシブル基板
５６  磁性体シート
６  レンズハウジング
【図１】
2015043567.tif 000003
【図２】
2015043567.tif 000004
【図３】
2015043567.tif 000005
【図４】
2015043567.tif 000006
【図５】
2015043567.tif 000007
【図６】
2015043567.tif 000008
【図７】
2015043567.tif 000009
【図８】
2015043567.tif 000010
【図９】
2015043567.tif 000011
【図１０】
2015043567.tif 000012
【図１１】
2015043567.tif 000013
【図１２】
2015043567.tif 000014
【図１３】
2015043567.tif 000015
【図１４】
2015043567.tif 000016
【図１５】
2015043567.tif 000017
【図１６】
2015043567.tif 000018